(57)【要約】【課題】熱源機で生成される熱を有効利用できる熱源システムを提供する。【解決手段】熱源システムＳは、蓄熱槽２１と、冷凍機１１で冷やされた冷水が蓄熱槽２１を迂回して熱負荷Ｄに向かうとともに、熱負荷Ｄで吸熱した冷水が蓄熱槽２１を迂回して冷凍機１１に戻る配管ｑ１，ｑ２と、一端が熱負荷Ｄよりも上流側の配管ｑ１に接続され、他端が蓄熱槽２１に接続される配管ｑ４と、一端が熱負荷Ｄよりも下流側の配管ｑ２に接続され、他端が蓄熱槽２１に接続される配管ｑ５と、冷水を圧送する冷水一次ポンプ２３及び冷水二次ポンプ２２と、を備える。【選択図】図１
2015010789.tif 000002
【特許請求の範囲】
【請求項１】
熱源機によって冷熱又は温熱が与えられた冷媒を貯留して蓄熱する蓄熱槽と、
前記熱源機から流出する冷媒が前記蓄熱槽を迂回して熱負荷に向かうとともに、前記熱負荷で熱消費した冷媒が前記蓄熱槽を迂回して前記熱源機に戻る冷媒循環流路と、
一端が前記熱負荷よりも上流側の前記冷媒循環流路に接続され、他端が前記蓄熱槽に接続される第一流路と、
一端が前記熱負荷よりも下流側の前記冷媒循環流路に接続され、他端が前記蓄熱槽に接続される第二流路と、
前記冷媒循環流路において、前記第一流路の前記一端及び前記第二流路の前記一端よりも前記熱源機側に設置される第一冷媒ポンプと、
前記冷媒循環流路において、前記第一流路の前記一端及び前記第二流路の前記一端よりも前記熱負荷側に設置される第二冷媒ポンプと、
を備えること
を特徴とする熱源システム。
【請求項２】
前記第一冷媒ポンプに設置され、当該第一冷媒ポンプを駆動する第一インバータと、
前記第二冷媒ポンプに設置され、当該第二冷媒ポンプを駆動する第二インバータと、
前記熱源機から流出する冷媒を、前記冷媒循環流路を介して前記熱負荷を経由するように循環させる追掛運転を行う際、前記第一冷媒ポンプの冷媒流量と、前記第二冷媒ポンプの冷媒流量と、が等しくなるように前記第一インバータの周波数、及び前記第二インバータの周波数を制御する制御手段と、を備えること
を特徴とする請求項１に記載の熱源システム。
【請求項３】
前記第一冷媒ポンプの冷媒流量、及び前記第二冷媒ポンプの冷媒流量のうち、少なくとも一方を検出する流量検出手段と、
所定の目標冷媒流量に対応して、前記第一冷媒ポンプの冷媒流量と前記第二冷媒ポンプの冷媒流量とが等しくなるように、前記第一インバータの周波数及び前記第二インバータの周波数を特定するためのマップが格納される記憶手段と、を備え、
前記制御手段は、
前記追掛運転を行う際に前記マップを参照し、前記流量検出手段によって検出される冷媒流量が前記目標冷媒流量となるように、前記第一インバータ及び前記第二インバータを駆動すること
を特徴とする請求項２に記載の熱源システム。
【発明の詳細な説明】
【技術分野】
【０００１】
本発明は、蓄熱槽を備える熱源システムに関する。
【背景技術】
【０００２】
冷凍機で冷却された冷水（冷媒）をいったん蓄熱槽に貯留し、貯留された冷水を需要側（熱負荷）に向けて圧送する熱源システムが知られている。このような熱源システムは、電力料金が比較的安価な夜間電力を用いて冷凍機を駆動し、その後、蓄熱槽に貯留された冷水（つまり、冷熱）を需要側に供給する。したがって、熱源システムを運転する際の消費電力量を低減できるという利点がある。また、電力需要が少ない夜間と、電力需要が多い昼間と、の間で電力負荷を平準化できるという利点もあり、オフィスの空調等に広く用いられている。
【０００３】
例えば、特許文献１には、熱源水の温度調節を行う複数台の熱源機と、熱源機によって温度調節された熱源水が貯留される蓄熱槽と、各センサから入力される検出値に応じて熱源機及び各ポンプを制御する制御部と、を備える熱源システムについて記載されている。
【先行技術文献】
【特許文献】
【０００４】
【特許文献１】特開２００９−２１０１７０号公報
【発明の概要】
【発明が解決しようとする課題】
【０００５】
特許文献１に記載の熱源システムでは、熱源機で冷やされた熱源水（冷水）が、還管を介して蓄熱槽にいったん貯留され、ポンプが駆動することで蓄熱槽内の熱源水が往管を介して負荷側に供給される。また、負荷側で吸熱した熱源水が、別の還管を介して蓄熱槽にいったん貯留され、ポンプが駆動することで蓄熱槽内の熱源水が別の往管を介して熱源機に還流する。
【０００６】
ここで、蓄熱槽に貯留する熱源水の目標設定を低めに設定し、電気料金の比較的安価な夜間において低温の熱源水（例えば、６℃）を生成し、蓄熱槽に貯留しておきたい場合がある。その後、熱源機で冷やされた熱源水を負荷側に供給する追掛運転を行う際、既に蓄熱槽に貯留されている低温の冷水と、熱源機から新たに蓄熱槽に流入する比較的高温の冷水（例えば、１０℃）と、が蓄熱槽の中で混合してしまう。
【０００７】
したがって、特許文献１に記載の熱源システムでは、前記した場合において蓄熱槽に貯留されていた熱源水（つまり、冷熱）を有効利用できないことがあり、これに伴って熱源システムの消費電力も増大してしまう。
【０００８】
そこで、本発明は、熱源機で生成される熱を有効利用できる熱源システムを提供することを課題とする。
【課題を解決するための手段】
【０００９】
前記課題を解決するために、本発明に係る熱源システムは、熱源機によって冷熱又は温熱が与えられた冷媒を貯留して蓄熱する蓄熱槽と、前記熱源機から流出する冷媒が前記蓄熱槽を迂回して熱負荷に向かうとともに、前記熱負荷で熱消費した冷媒が前記蓄熱槽を迂回して前記熱源機に戻る冷媒循環流路と、一端が前記熱負荷よりも上流側の前記冷媒循環流路に接続され、他端が前記蓄熱槽に接続される第一流路と、一端が前記熱負荷よりも下流側の前記冷媒循環流路に接続され、他端が前記蓄熱槽に接続される第二流路と、前記冷媒循環流路において、前記第一流路の前記一端及び前記第二流路の前記一端よりも前記熱源機側に設置される第一冷媒ポンプと、前記冷媒循環流路において、前記第一流路の前記一端及び前記第二流路の前記一端よりも前記熱負荷側に設置される第二冷媒ポンプと、備えることを特徴とする。
なお、詳細については、発明を実施するための形態において説明する。
【発明の効果】
【００１０】
本発明により、熱源機で生成される熱を有効利用する熱源システムを提供できる。
【図面の簡単な説明】
【００１１】
【図１】本発明の第１実施形態に係る熱源システムの構成図である。
【図２】コントローラが実行する処理の流れを示すフローチャートである。
【図３】コントローラが実行する処理の流れを示すフローチャートである。
【図４】冷凍機、冷却塔、冷却水ポンプ、第一冷水ポンプ、第二冷水ポンプ、及び各二方弁について、それぞれの運転パターンにおける状態を示す説明図である。
【図５】蓄熱運転を行う場合の各機器の状態と、冷水の流れる向きと、を示す説明図である。
【図６】蓄熱・追掛運転を行う場合の各機器の状態と、冷水の流れる向きと、を示す説明図である。
【図７】追掛運転を行う場合の各機器の状態と、冷水の流れる向きと、を示す説明図である。
【図８】放熱運転を行う場合の各機器の状態と、冷水の流れる向きと、を示す説明図である。
【図９】放熱・追掛運転を行う場合の各機器の状態と、冷水の流れる向きと、を示す説明図である。
【図１０】（ａ）は冷房負荷の時間的変化を示す説明図であり、（ｂ）は一日の運転スケジュールを示す説明図であり、（ｃ）は冷凍機の消費電力の時間的変化を示す説明図であり、（ｄ）は冷凍機から流出する冷水の目標冷水温度の時間的変化を示す説明図である。
【図１１】第一インバータ及び第二インバータの周波数と、冷水流量と、の対応関係を示すマップである。
【図１２】本発明の第２実施形態に係る熱源システムに関する説明図であり、（ａ）は電力価格の時間的変化を示す説明図であり、（ｂ）は蓄熱冷水温度と夜間移行率との関係を示すグラフであり、（ｃ）は蓄熱冷水温度とＣＯＰとの関係を示すグラフであり、（ｄ）は蓄熱冷水温度と日積算コストとの関係を示すグラフである。
【図１３】本発明の変形例に係る熱源システムの構成図である。
【図１４】（ａ）第一インバータの周波数と冷水流量との対応関係を示すマップであり、（ｂ）は第二インバータの周波数と冷水流量との対応関係を示すマップである。
【図１５】比較例に係る熱源システムの構成図である。
【図１６】比較例に係る熱源システムに関する説明図であり、（ａ）は冷房負荷の時間的変化を示す説明図であり、（ｂ）は一日の運転スケジュールを示す説明図であり、（ｃ）は冷凍機の消費電力の時間的変化を示す説明図であり、（ｄ）は冷凍機から流出する冷水の目標冷水温度の時間的変化を示す説明図である。
【発明を実施するための形態】
【００１２】
≪第１実施形態≫
＜熱源システムの構成＞
図１は、本実施形態に係る熱源システムの構成図である。熱源システムＳは、冷凍機１１で冷水を冷却して蓄熱槽２１に貯留し、その後、冷凍機１１及び蓄熱槽２１のうち少なくとも一方から熱負荷Ｄ（需要側）に向けて冷水を循環させるシステムである。
熱源システムＳは、冷凍機１１を経由するように冷却水を循環させる一次側システムＳ１と、熱負荷Ｄ等を経由するように冷水を循環させる二次側システムＳ２と、これらを制御するコントローラ３０と、を備えている。
【００１３】
（一次側システム）
一次側システムＳ１は、冷凍機１１と、冷却塔１２と、冷却水ポンプ１３と、冷水一次ポンプ２３と、インバータ１４，１５，２５と、を備えている。
冷凍機１１（熱源機）は、例えば、周知の冷凍サイクルを利用したターボ冷凍機であり、配管ｑ２を介して自身に流入する冷水を冷却するための冷熱源である。なお、冷凍機１１としてスクリューチラー、吸収式冷凍機等を用いてもよい。
【００１４】
冷却塔１２は、上部に設置される送風機１２ａを有し、この送風機１２ａから送り込まれる外気と、配管ｐ１を介して流入する冷却水と、を熱交換させることで冷却水を冷やすものである。冷却塔１２は、例えば、開放式の冷却塔であり、その内部に担持された充填材（図示せず）を介して冷却水を通流させる構成になっている。
【００１５】
冷却水ポンプ１３は、配管ｐ２を介して冷却塔１２から流入する冷却水を冷凍機１１に向けて圧送し、冷却水循環流路を介して冷却水を循環させるポンプである。なお、前記した「冷却水循環流路」は、配管ｐ１，ｐ２，ｐ３を含んで構成される。
インバータ１４は、コントローラ３０から入力される指令に応じた周波数で送風機１２ａを駆動する。インバータ１５は、コントローラ３０から入力される指令に応じた周波数で冷却水ポンプ１３を駆動する。
【００１６】
冷水一次ポンプ２３（第一冷媒ポンプ）は、蓄熱槽２１及び熱負荷Ｄのうち少なくとも一方から流入する冷水を冷凍機１１に向けて圧送するポンプである。冷水一次ポンプ２３は、冷水循環流路において、接続箇所Ｋ１，Ｋ２よりも冷凍機１１側に設置されている。なお、前記した「冷水循環流路」（冷媒循環流路）は、冷凍機１１を経由するように配設され、配管ｑ１，ｑ２を含んで構成される。
インバータ２５（第一インバータ）は、コントローラ３０から入力される指令に応じた周波数で冷水一次ポンプ２３を駆動する電力変換装置である
【００１７】
冷凍機１１で冷やされた冷水（冷媒）が蓄熱槽２１を介さずに（迂回して）熱負荷Ｄに向かうとともに、熱負荷Ｄで吸熱（熱消費）した冷水が蓄熱槽２１を介さずに（迂回して）冷凍機１１に戻る「冷水循環流路」を備える点が、本実施形態に係る熱源システムＳの特徴である。つまり、本実施形態では、図１５に示す比較例のように、運転モードに関わらず冷凍機１１から流出した冷媒をいったん蓄熱槽４１に貯留する、という構成にはなっていない。
【００１８】
熱源システムＳは、前記した「冷水循環流路」を備えることで、冷凍機１１から新たに流出する冷水の温度と、既に蓄熱槽２１に貯留されている冷水の温度と、が異なる場合、蓄熱槽２１内で両者を混合させないことが可能な構成になっている。
ちなみに、熱負荷Ｄは、例えば、一つ又は複数の室内熱交換器であり、室内ファン（図示せず）が駆動することで、自身を通流する冷水と室内空気とを熱交換するようになっている。
【００１９】
（二次側システム）
二次側システムＳ２は、蓄熱槽２１と、冷水二次ポンプ２２と、インバータ２４と、二方弁２６〜２８と、を備えている。
蓄熱槽２１は、例えば、温度成層型水蓄熱槽（縦型）であり、冷凍機１１から流入する低温の冷水を貯留して冷熱を蓄えるものである。なお、冷水が低温であるほど密度が大きく沈降しやすいため、蓄熱槽２１に貯留される冷水は下方に向かうにつれて低温になっている。
【００２０】
配管ｑ４（第一流路）は、その一端が配管ｑ１に接続され、他端が蓄熱槽２１内の下部領域に臨んでいる。つまり、配管ｑ４は、一端が熱負荷Ｄよりも上流側の冷水循環流路（配管ｑ１）に接続され、他端が蓄熱槽２１に接続されている。
配管ｑ５（第二流路）は、その一端が配管ｑ２に接続され、他端が蓄熱槽２１内の上部領域に臨んでいる。つまり、配管ｑ５は、一端が熱負荷Ｄよりも下流側の冷水循環流路（配管ｑ２）に接続され、他端が蓄熱槽２１に接続されている。なお、蓄熱槽２１に貯留される冷水の水面は、配管ｑ５の端部（下端）よりも上方に位置している。
【００２１】
また、配管ｑ４を介して流入する低温の冷水を、蓄熱槽２１内の下部領域に分配する分配器（図示せず）を設置することが好ましい。同様に、配管ｑ５を介して流入する（相対的に高温の）冷水を、蓄熱槽２１内の上部領域に分配する別の分配器（図示せず）を設置することが好ましい。これによって、低温の冷水と、相対的に高温の冷水と、が蓄熱槽２１内で混ざり合うことを抑制できる。
【００２２】
冷水二次ポンプ２２（第二冷媒ポンプ）は、冷凍機１１及び蓄熱槽２１のうち少なくとも一方から流入する冷水を熱負荷Ｄに向けて圧送するポンプである。冷水二次ポンプ２２は、前記した冷水循環流路において、接続箇所Ｋ１，Ｋ２よりも熱負荷Ｄ側に設置されている。
インバータ２４（第二インバータ）は、コントローラ３０から入力される指令に応じた周波数で冷水二次ポンプ２２を駆動する電力変換装置である。コントローラ３０によってインバータ２４，２５の周波数を制御することで、各配管を通流する冷水の流量を調整できる。
【００２３】
二方弁２６は、接続箇所Ｋ１よりも上流側の配管ｑ１に設置され、コントローラ３０からの指令に従って開閉する。二方弁２７は、接続箇所Ｋ１よりも下流側の配管ｑ１に設置され、コントローラ３０からの指令に従って開閉する。二方弁２８は、接続箇所Ｋ１よりも下流側の配管ｑ１と、前記した配管ｑ４と、を接続するバイパス配管ｑ３に設置され、コントローラ３０によってその開度が調整される。
【００２４】
これらの二方弁２６〜２８（流路切替手段）は、運転モードに応じて蓄熱槽２１と熱負荷Ｄとを連通／遮断するとともに、蓄熱槽２１と冷凍機１１とを連通／遮断する機能を有している。これによって、冷水が通流する流路を切り替えることができる。例えば、二方弁２６が開弁され、二方弁２７，２８が閉弁された場合、蓄熱槽２１と熱負荷Ｄとが遮断され、蓄熱槽２１と冷凍機１１とが連通する（図５参照）。
【００２５】
流量センサ２９ａ（流量検出手段）は、接続箇所Ｋ１よりも下流側の配管ｑ１に設置されている。流量センサ２９ａは、熱負荷Ｄに流入する冷水の流量を検出してコントローラ３０に出力する機能を有している。
流量センサ２９ｂ（流量検出手段）は、接続箇所Ｋ２よりも下流側の配管ｑ２に設置されている。流量センサ２９ｂは、冷凍機１１に流入する冷水の流量を検出してコントローラ３０に出力する機能を有している。
【００２６】
（コントローラ３０）
コントローラ３０（制御手段）は、ＣＰＵ（Central Processing Unit）、ＲＯＭ（Read Only Memory）、ＲＡＭ（Random Access Memory）、各種インタフェースなどの電子回路（図示せず）を含んで構成され、設定されたプログラムに従って各種処理を実行する。なお、コントローラ３０が実行する処理の詳細については後記する。
【００２７】
＜熱源システムの動作＞
以下の説明において「蓄熱運転」（図５参照）とは、冷凍機１１で冷水を冷やし、冷やされた冷水を蓄熱槽２１に貯留する（つまり、蓄熱槽２１に冷熱を蓄える）運転モードである。
また、「追掛運転」（図７参照）とは、冷凍機１１で冷やされた冷水を、蓄熱槽２１を迂回させつつ、前記した冷水循環流路（配管ｑ１，ｑ２）を介して循環させる運転モードである。
また、「放熱運転」（図８参照）とは、蓄熱槽２１に貯留されている低温の冷水を、熱負荷Ｄを経由するように循環させる運転モードである。
【００２８】
通常、夜間の電力価格は、日中の電力価格よりも安くなっている（図１２（ａ）参照）。したがって、本実施形態においてコントローラ３０は夜間電力を用いて蓄熱運転し、日中は所定のスケジュールに従って追掛運転、放熱運転等を実行する。
また、コントローラ３０は、蓄熱運転時に冷凍機１１で冷やされた冷水の温度（例えば、６℃）を、日中に行う他の運転モードでの冷水温度（例えば、１０℃）よりも低くなるように設定する。これによって、蓄熱槽２１の蓄熱容量をより多く確保できるとともに、比較的安価な夜間電力を有効利用できる（詳細については後記する）。
【００２９】
なお、本実施形態では、蓄熱槽２１の蓄熱容量を１００ｋＷｈとし、蓄熱冷水温度（蓄熱槽２１の下部に流入する冷水の温度）を６℃、蓄熱冷水還り温度（蓄熱槽２１の上部に還流する冷水の温度）を１２℃とした。
【００３０】
また、冷凍機１１の冷房能力を２０ｋＷとし、定格冷水入口温度を１２℃、定格冷水出口温度を６℃、ＣＯＰ（Coefficient Of Performance：成績係数）を５とした。前記した定格冷水入口温度とは、冷凍機１１を定格運転した場合において、蓄熱槽２１の上部に形成された冷水入口を通流する冷水の温度である（定格冷水出口温度も同様である）。
また、冷水一次ポンプ２３及び冷水二次ポンプ２２の定格流量を３．４４ｍ3／ｈとし、冷却水ポンプ１３の定格流量を４．１３ｍ3／ｈとし、冷却塔１２の定格冷却能力を２５．８ｋＷとした。
【００３１】
次に、フローチャートを参照しつつ、熱源システムＳの各運転モードについて説明する。コントローラ３０は、気象情報、日時情報、過去の運転データ等に基づいて運転スケジュール（実行予定の運転モード、及び、各運転モードの切替時刻）を設定する。また、コントローラ３０は、天候の変化や熱負荷の変動に基づいて、運転スケジュールを所定時間ごとに修正する。
【００３２】
（蓄熱運転）
図２及び図３は、コントローラが実行する処理の流れを示すフローチャートである。
ステップＳ１０１においてコントローラ３０は、蓄熱運転の開始時刻（例えば、２２：００、図１０（ｂ）参照）になったか否かを判定する。蓄熱運転の開始時刻になっていない場合（Ｓ１０１→Ｎｏ）、コントローラ３０はステップＳ１０１の処理を繰り返す。一方、蓄熱運転の開始時刻になった場合（Ｓ１０１→Ｙｅｓ）、コントローラ３０の処理はステップＳ１０２に進む。
【００３３】
ステップＳ１０２においてコントローラ３０は、蓄熱運転を実行する。図４は、冷凍機、冷却塔、冷却水ポンプ、第一冷水ポンプ、第二冷水ポンプ、及び各二方弁について、それぞれの運転パターンにおける状態を示す説明図である。
図４の運転パターンＡに示すように、コントローラ３０は、冷凍機１１及び冷却塔１２（送風機１２ａ等）を運転し、冷却水ポンプ１３を運転する。これによって、冷却水が前記した冷却水循環流路（配管ｐ１，ｐ２）を介して循環する。
【００３４】
また、コントローラ３０は二方弁２６を開弁し、二方弁２７，２８を閉弁した状態で冷水一次ポンプ２３を運転する。なお、コントローラ３０は、冷水二次ポンプ２２を停止させる。
ここで、夜間電力は比較的安価であるため、コントローラ３０は後記する他の運転モードよりも大きい消費電力で冷凍機１１を駆動する（図１０（ｃ）の蓄熱運転を参照）。したがって、冷凍機１１を定格運転できるため、蓄熱運転時のエネルギ効率を高くすることができる。
【００３５】
図５は、蓄熱運転を行う場合の各機器の状態と、冷水の流れる向きと、を示す説明図である。なお、図５では、開弁している二方弁２６を白抜きで図示し、閉弁している二方弁２７，２８を黒塗りで示し、流量センサ２９ａ，２９ｂの図示を省略した（図６〜図９も同様）。
【００３６】
冷水一次ポンプ２３が駆動することで、図５の太線矢印で示すように冷水が圧送される。すなわち、冷凍機１１から流出する低温（例えば、６℃）の冷水は、配管ｑ１，ｑ４を介して蓄熱槽２１の下部に流入する。また、蓄熱槽２１の上部に貯留されている相対的に高温の冷水は、配管ｑ５，ｑ２を介して冷凍機１１に圧送されて冷却される。このようにして、冷凍機１１で生成された冷熱が蓄熱槽２１に蓄えられる。
【００３７】
補足すると、蓄熱槽２１内は鉛直方向において温度勾配があり、配管ｑ４を介して下方から低温の冷水が流入すると、相対的に高温の冷水が蓄熱槽２１の上方から配管ｑ５を介して押し出されるようにが排出され、冷凍機１１に向かう。これによって、蓄熱槽２１に貯留された冷水のうち、よく冷やされた冷水の割合が下方から増えてゆく。また、蓄熱槽２１から冷凍機１１に供給されるのは相対的に高温の冷水であるため、冷凍機１１内での温度差が確保され、エネルギ効率を高めることができる。
【００３８】
（蓄熱・追掛運転）
図２のステップＳ１０３においてコントローラ３０は、蓄熱運転の終了時刻（例えば、６：００、図１０（ｂ）参照）になったか否かを判定する。蓄熱運転の終了時刻になっていない場合（Ｓ１０３→Ｎｏ）、コントローラ３０は蓄熱運転を継続する（Ｓ１０２）。一方、蓄熱運転の終了時刻になった場合（Ｓ１０３→Ｙｅｓ）、コントローラ３０の処理はステップＳ１０４に進む。
【００３９】
ステップＳ１０４においてコントローラ３０は、蓄熱・追掛運転が必要であるか否かを判定する。ここで、「蓄熱・追掛運転」とは、前記した蓄熱運転と追掛運転とを同時に行う（つまり、冷凍機１１で生成した冷熱を蓄熱槽２１に蓄えつつ、熱負荷Ｄに冷熱を供給する）運転モードである。
【００４０】
蓄熱・追掛運転が必要である場合（Ｓ１０４→Ｙｅｓ）、コントローラ３０はステップＳ１０５において蓄熱・追掛運転を実行する。すなわち、図４の運転パターンＢに示すように、コントローラ３０は冷凍機１１及び冷却塔１２を運転し、冷却水ポンプ１３を運転する。また、コントローラ３０は、二方弁２６，２７を開弁し、二方弁２８の開度を調整した状態で冷水一次ポンプ２３及び冷水二次ポンプ２２を運転する。
なお、蓄熱・追掛運転を行う際にコントローラ３０は、冷凍機１１で生成された冷熱が蓄熱槽２１及び熱負荷Ｄに供給されるように、冷水一次ポンプ２３の冷水流量を冷水二次ポンプ２２の冷水流量よりも大きくする。
【００４１】
図６は、蓄熱・追掛運転を行う場合の各機器の状態と、冷水の流れる向きと、を示す説明図である。冷水一次ポンプ２３及び冷水二次ポンプ２２が駆動することで、図６の太線矢印で示すように冷水が圧送される。すなわち、冷凍機１１から流出する冷水（例えば、６℃）は、配管ｑ１，ｑ４を介して蓄熱槽２１の下部に貯留されるとともに、配管ｑ１を介して熱負荷Ｄに供給される。
【００４２】
（追掛運転）
蓄熱・追掛運転を行った後（Ｓ１０５）、又は、ステップＳ１０４において蓄熱・追掛運転が必要でない場合（Ｓ１０４→Ｎｏ）、コントローラ３０の処理はステップＳ１０６に進む。
ステップＳ１０６においてコントローラ３０は、前記した追掛運転の開始時刻（例えば、６：００、図１０（ｂ）参照）になったか否かを判定する。追掛運転の開始時刻になっていない場合（Ｓ１０６→Ｎｏ）、コントローラ３０はステップＳ１０４の処理に戻る。一方、追掛運転の開始時刻になった場合（Ｓ１０６→Ｙｅｓ）、コントローラ３０の処理は図３のステップＳ１０７に進む。
ちなみに、図１０（ａ）に示す例では、６：００から徐々に冷房負荷が上昇し、１２：００〜１６：００において冷房負荷が最も高くなり、１６：００以後は冷房負荷が減少している。
【００４３】
ステップＳ１０７においてコントローラ３０は、追掛運転を実行する。すなわち、図４の運転パターンＣに示すように、コントローラ３０は冷凍機１１及び冷却塔１２を運転し、冷却水ポンプ１３を運転する。また、コントローラ３０は、二方弁２６，２７を開弁し、二方弁２８の開度を調整した状態で冷水一次ポンプ２３及び冷水二次ポンプ２２を運転する。
【００４４】
なお、電気料金が夜間に比べて高い時間帯では、冷凍機１１で与える冷熱量を夜間の蓄熱運転時よりも少なくすることが好ましい。すなわち、コントローラ３０は、追掛運転時の目標冷水温度（１０℃）が、蓄熱運転時の目標冷水温度（６℃）よりも高くなるように冷凍機１１を制御する（図１０（ｂ）、（ｄ）を参照）。
【００４５】
図７は、追掛運転を行う場合の各機器の状態と、冷水の流れる向きと、を示す説明図である。コントローラ３０は、冷水一次ポンプ２３の冷水流量と、冷水二次ポンプ２２の冷水流量と、が等しくなるようにインバータ２４，２５を制御する。
【００４６】
図１１は、第一インバータ及び第二インバータの周波数と、冷水流量と、の対応関係を示すマップである。コントローラ３０は追掛運転を行う際、冷凍機１１から流出した冷水が蓄熱槽２１を迂回し、熱負荷Ｄを経由して冷凍機１１に戻るようにインバータ２４，２５を制御する。
【００４７】
したがって、追掛運転を行う際には、配管ｑ１（図７参照）を通流する冷水の流量と、配管ｑ２を通流する冷水の流量と、を一致させる。コントローラ３０は、記憶手段（図示せず）に格納されたマップ（図１１参照）を参照し、冷水循環流路を介して所定の目標冷水流量の冷水を循環させるように、インバータ２４，２５を制御する。ちなみに、インバータ２４の周波数を大きくするほど、冷水二次ポンプ２２の冷水流量も大きくなる（インバータ２５についても同様）。
【００４８】
また、コントローラ３０は、流量センサ２９ａ，２９ｂから入力される冷水流量に基づいて、前記した目標冷水流量が維持されるように、インバータ２４，２５を制御する。その結果、図７の太線矢印で示すように、冷凍機１１から流出した冷水は蓄熱槽２１を迂回して熱負荷Ｄに向かい、熱負荷Ｄで吸熱（熱消費）した冷水は蓄熱槽２１を迂回して冷凍機１１に戻る。
【００４９】
これによって、蓄熱槽２１に既に貯留されている比較的低温（例えば、６℃）の冷水と、冷凍機１１から流出する比較的高温（例えば、１０℃）の冷水とが混合することを防止できる。つまり、冷凍機１１から流出した冷水は、配管ｑ１を介してそのまま熱負荷Ｄに供給される。その結果、蓄熱槽２１に蓄えられた冷熱を有効利用し、後記する放熱運転を長時間行うことができる。これが、本実施形態に係る熱源システムＳの特徴である。
【００５０】
（放熱運転）
図３のステップＳ１０８においてコントローラ３０は、放熱運転の開始時刻（例えば、９：００、図１０（ｂ）参照）になったか否かを判定する。放熱運転の開始時刻になっていない場合（Ｓ１０８→Ｎｏ）、コントローラ３０は追掛運転を継続する（Ｓ１０７）。一方、放熱運転の開始時刻になった場合（Ｓ１０８→Ｙｅｓ）、コントローラ３０の処理はステップＳ１０９に進む。
【００５１】
ステップＳ１０９においてコントローラ３０は、放熱運転を実行する。すなわち、図４の運転パターンＤに示すように、コントローラ３０は冷凍機１１、冷却塔１２、及び冷却水ポンプ１３を停止させる。また、コントローラ３０は、二方弁２６を閉弁し、二方弁２７を開弁し、二方弁２８の開度を調整した状態で冷水二次ポンプ２２を運転する。また、コントローラ３０は、冷水一次ポンプ２３を停止させる。
【００５２】
ちなみに、蓄熱槽２１に蓄えられた冷熱を熱負荷Ｄで消費する際、冷水二次ポンプ２２の流量を小さくすることで熱負荷Ｄに供給する冷熱量を少なくしたい場合がある。しかし、インバータ２４で調整可能な周波数では、熱負荷Ｄに向かう冷水流量を十分に低減できないことがある。
【００５３】
このような場合、コントローラ３０によって二方弁２８の開度を大きくすると、配管ｑ１を介して熱負荷Ｄに向かう冷水の一部がバイパス配管ｑ３を介して配管ｑ４に戻る。その結果、蓄熱槽２１から熱負荷Ｄに向かう冷水の流量を低減され、長時間に亘って放熱運転を行うことができる。
【００５４】
図８は、放熱運転を行う場合の各機器の状態と、冷水の流れる向きと、を示す説明図である。冷水二次ポンプ２２が駆動することで、図８の太線矢印で示すように冷水が圧送される。すなわち、蓄熱槽２１の下部から流出する低温（例えば、６℃）の冷水は、配管ｑ４，ｑ１を介して熱負荷Ｄに流入する。熱負荷Ｄで吸熱（熱消費）した冷水は、配管ｑ２，ｑ５を介して蓄熱槽２１の上部に還流する。このようにして、蓄熱槽２１に蓄えられていた冷熱が熱負荷Ｄで消費される。
【００５５】
図３のステップＳ１１０においてコントローラ３０は、放熱運転の終了時刻（例えば、１６：３０、図１０（ｂ）参照）になったか否かを判定する。放熱運転の終了時刻になっていない場合（Ｓ１１０→Ｎｏ）、コントローラ３０の処理はステップＳ１０９に戻る。一方、放熱運転の終了時刻になった場合（Ｓ１１０→Ｙｅｓ）、コントローラ３０の処理はステップＳ１１１に進む。
【００５６】
（放熱・追掛運転）
ステップＳ１１１においてコントローラ３０は、放熱・追掛運転が必要であるか否かを判定する。ここで、「放熱・追掛運転」とは、前記した放熱運転と追掛運転とを同時に行う（つまり、冷凍機１１で生成した冷熱を熱負荷Ｄに供給しつつ、蓄熱槽２１に蓄えられている冷熱を熱負荷Ｄに供給する）運転モードである。
【００５７】
放熱・追掛運転が必要である場合（Ｓ１１１→Ｙｅｓ）、コントローラ３０はステップＳ１１２において放熱・追掛運転を実行する。すなわち、図４の運転パターンＥに示すように、コントローラ３０は冷凍機１１及び冷却塔１２を運転し、冷却水ポンプ１３を運転する。また、コントローラ３０は、二方弁２６，２７を開弁し、二方弁２８の開度を調整した状態で冷水一次ポンプ２３及び冷水二次ポンプ２２を運転する。
【００５８】
また、放熱・追掛運転を行う際、冷凍機１１で生成された冷熱、及び蓄熱槽２１に蓄えられている冷熱が熱負荷Ｄに供給されるように、コントローラ３０は冷水二次ポンプ２２の冷水流量が冷水一次ポンプ２３の冷水流量よりも大きくなるように制御する。
図９は、放熱・追掛運転を行う場合の各機器の状態と、冷水の流れる向きと、を示す説明図である。冷水一次ポンプ２３及び冷水二次ポンプ２２が駆動することで、図９の太線矢印で示すように冷水が圧送される。すなわち、冷凍機１１から流出する冷水は、配管ｑ１を介して熱負荷Ｄに供給される。また、蓄熱槽２１の下部に貯留されていた冷水は、配管ｑ４，ｑ１を介して熱負荷Ｄに供給される。
【００５９】
放熱・追掛運転を行った後（Ｓ１１２）、又は、ステップＳ１１１において放熱・追掛運転が必要でない場合（Ｓ１１１→Ｎｏ）、コントローラ３０の処理はステップＳ１１３に進む。
ステップＳ１１３においてコントローラ３０は、前記した追掛運転の再開時刻になったか否かを判定する。追掛運転の再開時刻になっていない場合（Ｓ１１３→Ｎｏ）、コントローラ３０の処理はステップＳ１１１に戻る。一方、追掛運転の再開時刻になった場合（Ｓ１１３→Ｙｅｓ）、コントローラ３０の処理はステップＳ１１４に進む。
【００６０】
ステップＳ１１４においてコントローラ３０は追掛運転を実行した後（図１０（ｂ）の１６：３０〜２２：００）、図２の「ＳＴＡＲＴ」に戻る。なお、追掛運転を行う際の処理はステップＳ１０７（図３参照）と同様であるから、説明を省略する。
ちなみに、次回の蓄熱運転を行う際、コントローラ３０は冷凍機１１の目標冷水温度を低下させる（例えば、目標冷水温度を１０℃から６℃に低下させる：図１０（ｄ）参照）。つまり、コントローラ３０は、電気料金の時間的変化（図１２（ａ）参照）と連動するように目標冷水温度を変更する。
【００６１】
＜効果＞
本実施形態によれば、夜間に蓄熱運転し、その後、所定の運転スケジュールに従って追掛運転、放熱運転を含む複数の運転モードを適宜実行することで、熱源システムＳの消費電力を平準化できる。また、比較的安価な夜間電力で冷凍機１１を運転し、生成した冷熱を蓄熱槽２１に蓄えるため、電力コストを低減できる。
【００６２】
また、発明者が行った実験の結果、蓄熱運転を実行する際に冷凍機１１から流出する冷水の温度を従来よりも低くすることで、蓄熱槽２１の蓄熱容量を増大させ、日積算コストを低減できることが判明した。
したがって、本実施形態では、蓄熱運転を行う際の目標冷水温度を低めに設定し（例えば、６℃：図１０（ｄ）参照）、他の運転モードを実行する際の目標冷水温度を高めに設定した（例えば、１０℃：図１０（ｄ）参照）。この場合、蓄熱運転時に冷凍機１１から蓄熱槽２１に貯留される冷水の温度（６℃）は、その後の追掛運転時に冷凍機１１から熱負荷Ｄに向けて流出する冷水の温度（１０℃）よりも低くなる。
【００６３】
本実施形態に係る熱源システムＳでは、追掛運転を行う際、蓄熱槽２１を経由することなく配設される「冷水循環流路」（配管ｑ１，ｑ２）を介して冷凍機１１と熱負荷Ｄとの間で冷水を循環させる（図７参照）。
【００６４】
すなわち、蓄熱槽２１に既に貯留されている低温の冷水と、冷凍機１１から流出する比較的高温の冷水と、が追掛運転時に混ざり合うことを防止し、蓄熱槽２１に貯留していた冷熱をそのまま保持できる。したがって、蓄熱槽２１に貯留されていた低温の冷水を、放熱運転時にそのまま熱負荷Ｄに供給できる。その結果、熱負荷Ｄが必要とする冷熱量を満たすための冷水流量を低減することができ、冷水一次ポンプ２３及び冷水二次ポンプ２２の消費電力を低減できる。
【００６５】
また、蓄熱槽２１の下部に貯留されている冷水を低温で保持できるため、放熱運転時の冷水流量が比較的小さくても熱負荷Ｄに対して必要な冷熱を供給できる。したがって、放熱運転を長時間行うことが可能となり、目標冷水温度を一定とする比較例（図１６（ｄ）参照）に対して、本実施形態（図１０（ｄ）参照）では追掛運転を行う時間を短くすることができる（図１０（ｂ）、図１６（ｂ）参照）。
【００６６】
また、夜間電力が安価であることに加えて、前記したように追掛運転を行う時間を短縮できるため、目標冷水温度を一定とする比較例に対して、追掛運転時の冷凍機１１の消費電力を低減できる（図１０（ｃ）、図１６（ｃ）参照）。
【００６７】
また、例えば、図１５に示す比較例は、冷凍機１１から流出した冷水が配管ｒ１を介して蓄熱槽４１にいったん貯留され、蓄熱槽４１に貯留された冷水が配管ｓ１を介して熱負荷Ｄに圧送される構成になっている（熱負荷Ｄで吸熱した冷水も同様に、蓄熱槽４１にいったん貯留される）。
比較例の構成では、追掛運転を行う際に冷凍機１１から蓄熱槽４１に比較的高温（例えば、１０℃）の冷水が流入する。したがって、それまで蓄熱槽４１の下部に貯留されていた低温（例えば、６℃）の冷水と、前記した比較的高温の冷水と、が混合してしまう。その結果、蓄熱槽４１内の冷水の温度が上昇し、そのぶん昼間の追掛運転時に大きな流量の冷水を供給する必要が生じる。
【００６８】
つまり、比較例（図１５参照）の場合では、夜間電力を使って生成した冷熱が有効に利用できず、これに加えて冷凍機１１及び冷水ポンプ４２，４３の消費電力が増大するため、電力コストが高くなってしまう。
これに対して、本実施形態に係る熱源システムＳ（図１参照）では、蓄熱槽２１に蓄えられた冷熱（熱）を有効利用し、システム全体の電力コストを抑えることができる。
【００６９】
≪第２実施形態≫
第２実施形態に係る熱源システムＳは、冷凍機１１から流出する冷水温度（つまり、冷凍機１１で生成する冷熱）を、日積算コストが最小となるように設定する点が第１実施形態と異なるが、その他の点（熱源システムＳの構成等）については第１実施形態と同様である。したがって、第１実施形態と異なる部分について説明し、重複した説明を省略する。
【００７０】
＜蓄熱槽蓄熱冷水温度の設定について＞
例えば、一日の運転スケジュールにおいて冷凍機１１から流出する冷水の温度を低くし、蓄熱槽２１の蓄熱容量Ｃを増大させることを考える。前記した蓄熱容量Ｃは、以下に示す（数式１）で表わされる。なお、蓄熱槽蓄熱冷水温度ＴL（目標冷水温度）とは、冷凍機１１から配管ｑ１，ｑ４を介して蓄熱槽２１に流入する冷水の温度である。蓄熱槽冷水還り温度ＴHとは、配管ｑ５，ｑ２を介して蓄熱槽２１から冷凍機１１に戻る冷水の温度である。
また、定格蓄熱容量Ｃr、定格蓄熱冷水温度ＴrL、定格蓄熱槽冷水還り温度ＴrHとはそれぞれ、冷凍機１１を定格運転した場合の蓄熱容量、蓄熱槽蓄熱冷水温度、及び蓄熱槽冷水還り温度である。
【００７１】
【数１】
2015010789.tif 000003
【００７２】
したがって、蓄熱運転時において前記した蓄熱槽蓄熱冷水温度ＴLを下げることで、蓄熱容量Ｃを増大させることができる。また、熱源システムＳの夜間移行率η（日積算負荷Ｆに対する蓄熱容量Ｃの割合）は、以下に示す（数式２）で表わされる。なお、日積算負荷Ｆは、その日に予想される冷房負荷の総量であり、気象データ、運転日時、過去の履歴情報等を用いてシミュレーションにより求められる。
【００７３】
【数２】
2015010789.tif 000004
【００７４】
また、熱源システムＳに要する日積算コストＱは、以下に示す（数式３）で表わされる。なお、ＣＯＰeは、蓄熱運転以外の運転モードが実行される昼間のＣＯＰを表し、ＣＯＰnは、蓄熱運転が実行される夜間のＣＯＰを表している。また、Ｙeは昼間電力価格を表し、Ｙnは夜間電力価格を表している（図１２（ａ）参照）。
【００７５】
【数３】
2015010789.tif 000005
【００７６】
ここで、前記したＣＯＰe（昼間ＣＯＰ）は、以下に示す（数式４）で求められる。また、前記したＣＯＰn（夜間ＣＯＰ）は、以下に示す（数式５）で求められる。なお、定格ＣＯＰ（ＣＯＰ0）とは、冷凍機１１を定格運転した場合のＣＯＰである。ＣＯＰ変化率ξとは、冷凍機１１から流出する冷水の温度変化に対するＣＯＰの変化率であり、実験等に基づいて予め求められる。
また、昼間冷水製造温度Ｔeとは、昼間の時間帯おいて冷凍機１１で冷熱を与えられた冷水の温度である（夜間冷水製造温度Ｔnも同様）。定格冷水製造温度Ｔ0とは、冷凍機１１を定格運転した場合において、冷凍機１１で冷熱を与えられた冷水の温度である。
【００７７】
【数４】
2015010789.tif 000006
【００７８】
また、システム全体の消費電力量ΔＷは、冷房負荷ＰA、ＣＯＰ（前記した昼間ＣＯＰ又は夜間ＣＯＰ）、及び所定の基準時刻からの経過時間Δｔを用いて、以下に示す（数式６）で求められる。
ちなみに、冷房負荷ＰAは、例えば、熱負荷Ｄに流入する冷水の流量及び温度と、熱負荷Ｄで吸熱した冷水の流量及び温度と、に基づいて求められる。
【００７９】
【数５】
2015010789.tif 000007
【００８０】
本実施形態においてコントローラ３０は、（数式３）の日積算コストＱを最小にするように、冷凍機１１から流出する冷水の蓄熱槽蓄熱冷水温度ＴL（目標冷水温度）を設定する。
図１２（ｂ）、（ｃ）に示すように、前記した蓄熱槽蓄熱冷水温度ＴL（図１２では、「蓄熱冷水温度」と記載）を低下させると、夜間移行率ηは上昇する一方、ＣＯＰ（夜間ＣＯＰn）は低下する。このように、夜間移行率ηとＣＯＰとは、蓄熱槽蓄熱冷水温度ＴLの変化に対してトレードオフの関係になっている。
【００８１】
なお、図１２では、日積算負荷Ｆを２００ｋＷｈ、定格ＣＯＰ（ＣＯＰ0）を５、昼間電力価格Ｙeを１０円／ｋＷｈ、夜間電力価格Ｙnを７円／ｋＷｈ、昼間冷水製造温度Ｔeを１０℃、ＣＯＰ変化率ξを０．０４とした。図１２（ｄ）に示すように、蓄熱槽蓄熱冷水温度ＴLを５〜１０℃の範囲で変化させると、６℃付近で日積算コストＱが最小になる。
前記した日積算コストＱを最小にする蓄熱槽蓄熱冷水温度ＴL（目標冷水温度）は、例えば、予め作成された熱負荷Ｄのモデルを用いて、コントローラ３０によってシミュレーションを実行することで求められる。
【００８２】
なお、昼間の電力価格は夜間よりも高いため（図１２（ａ）参照）、コントローラ３０は昼間の目標冷水温度を高めに設定する（例えば、１０℃：図１０（ｄ）参照）。これによって、冷凍機１１で消費される電力を抑制しつつ追掛運転できる。
【００８３】
その他、冷房負荷ＰAの大きい夏期には、昼間冷水製造温度Ｔeを下げて熱負荷Ｄへの冷熱供給量を十分確保することが好ましい。また、夏期には、夜間冷水製造温度Ｔnを下げて蓄熱槽２１の蓄熱容量Ｃを増大させ、夜間移行率ηを上昇させて電力コストの低減を図ることが好ましい。
また、冷房負荷ＰAの小さい冬期及び中間期には、昼間冷水製造温度Ｔe及び夜間冷水製造温度Ｔnを上昇させて、冷凍機１１の消費電力を抑えることが好ましい。
【００８４】
＜効果＞
本実施形態に係る熱源システムＳによれば、コントローラ３０は、日積算コストＱを最小にするように蓄熱槽蓄熱冷水温度ＴL（目標冷水温度）を設定する。したがって、システム全体の電力コストを最小化するように冷凍機１１等を駆動させることができる。
【００８５】
≪変形例≫
以上、本発明に係る熱源システムＳについて各実施形態により説明したが、本発明はこれらの記載に限定されるものではなく、種々の変更を行うことができる。
例えば、前記各実施形態においてコントローラ３０は、流量センサ２９ａ、流量センサ２９ｂのうち一方によって検出される冷水流量に基づいて、インバータ２４，２５を制御する場合について説明したが、これに限らない。
例えば、コントローラ３０は、流量センサ２９ａ、流量センサ２９ｂの両方の検出値を用いてインバータ２４，２５を制御してもよい。
【００８６】
また、図１３に示すように、流量センサ２９ａから入力される冷水流量に基づいてインバータ２４を制御する流量指示調節手段５１（制御手段）と、流量センサ２９ｂから入力される冷水流量に基づいてインバータ２５を制御する流量指示調節手段５２（制御手段）と、を備える構成にしてもよい。
【００８７】
この場合、追掛運転を行う際に流量指示調節手段５１は、図１４（ａ）に示すマップを参照し、流量センサ２９ａの検出値に基づいて、所定の目標冷水流量に対応する周波数でインバータ２４を駆動する。同様に、流量指示調節手段５２は、図１４（ｂ）に示すマップを参照し、流量センサ２９ｂの検出値に基づいて、所定の目標冷水流量に対応する周波数でインバータ２５を駆動する。
【００８８】
なお、図１４（ａ）、（ｂ）に示す各マップは、追掛運転を行う際に冷水一次ポンプ２３の流量と、冷水二次ポンプ２２の流量と、が一致するように予め作成されている。これによって、追掛運転時に冷凍機１１から流出した冷水と、蓄熱槽２１に貯留されている冷水と、が混ざり合うことを防止できる。その結果、システム全体のエネルギ効率を向上させ、電力コストを低減できる。
【００８９】
また、前記各実施形態では、冷水一次ポンプ２３が、接続箇所Ｋ２よりも下流側の配管ｑ２に設置される場合について説明したが、これに限らない。すなわち、接続箇所Ｋ１よりも上流側の配管ｑ１に冷水一次ポンプ２３を設置してもよい。なお、流量センサ２９ｂについても同様である。
また、前記各実施形態では、冷水二次ポンプ２２が、接続箇所Ｋ１よりも下流側の配管ｑ１に設置される場合について説明したが、これに限らない。すなわち、接続箇所Ｋ２よりも上流側の配管ｑ２に冷水二次ポンプ２２を設置してもよい。なお、流量センサ２９ａについても同様である。
【００９０】
また、前記各実施形態では、接続箇所Ｋ１よりも上流側の配管ｑ１に二方弁２６を設置する場合について説明したが、これに限らない。すなわち、前記した設置位置に代えて、接続箇所Ｋ２よりも下流側の配管ｑ２に二方弁（流路切替手段）を設置してもよい。この場合でも当該二方弁によって、冷凍機１１と蓄熱槽２１とを連通／遮断できる。
【００９１】
また、前記各実施形態では、接続箇所Ｋ１よりも下流側の配管ｑ１に二方弁２７を設置する場合について説明したが、これに限らない。すなわち、前記した設置位置に代えて、接続箇所Ｋ２よりも上流側の配管ｑ２に二方弁（流路切替手段）を設置してもよい。この場合でも当該二方弁によって、蓄熱槽２１と熱負荷Ｄとを連通／遮断できる。
また、例えば、二方弁２６，２７に代えて、接続箇所Ｋ１又は接続箇所Ｋ２に三方弁（流路切替手段）を備える構成にしてもよい。
【００９２】
また、前記各実施形態では、コントローラ３０が、日積算コストＱを最小化するように蓄熱槽蓄熱冷水温度ＴL（目標冷水温度）を設定する場合について説明したが、これに限らない。すなわち、他のパラメータも考慮した上で蓄熱槽蓄熱冷水温度ＴLを設定してもよい。
また、前記各実施形態では、追掛運転を行うときに蓄熱槽２１に貯留されている冷水の温度が、冷凍機１１から流出する冷水の温度よりも低い場合について説明したが、これに限らない。すなわち、冷凍機１１から流出する冷水の温度が、蓄熱槽２１に貯留されている冷水の温度よりも低くなる場合もある。このような場合でも、冷水一次ポンプ２３の流量と冷水二次ポンプ２２の流量とを等しくすることで、冷凍機１１から流出する冷水の冷熱を熱負荷Ｄに対して効率的に供給できる。
【００９３】
また、前記実施形態では、冷凍機１１（熱源機）で冷熱を生成する場合について説明したが、これに限らない。すなわち、周知のヒートポンプサイクル等を利用することで冷凍機１１において水に温熱を与えて蓄熱槽２１に温水を貯留したり、冷媒循環流路（配管ｑ１，ｑ２）を介して熱負荷Ｄに温水を圧送したりしてもよい。
この場合、冷媒ポンプ、二方弁、流量センサ等の配置を適宜変更し、温水循環流路（冷媒循環流路、配管ｑ１，ｑ２）を介し、熱負荷Ｄに対して冷媒から放熱（熱消費）させるように構成する。なお、追掛運転を行う際、冷凍機１１から流出する温水と、蓄熱槽２１の上部に貯留される温水と、が混ざり合わないように各冷媒ポンプの流量を等しくすることが好ましい。
【００９４】
また、前記実施形態では、一次側システムＳ１を循環する冷媒と、二次側システムＳ２を循環する冷媒と、がともに水である場合について説明したが、これに限らない。すなわち、冷熱を搬送可能であれば、水以外の冷媒を用いてもよい。
【符号の説明】
【００９５】
Ｓ  熱源システム
１１  冷凍機（熱源機）
２１  蓄熱槽
２２  冷水二次ポンプ（第二冷媒ポンプ）
２３  冷水一次ポンプ（第一冷媒ポンプ）
２４  インバータ（第二インバータ）
２５  インバータ（第一インバータ）
２６，２７，２８  二方弁
２９ａ，２９ｂ  流量センサ（流量検出手段）
３０  コントローラ（制御手段）
５１  流量指示調節手段（制御手段）
５２  流量指示調節手段（制御手段）
Ｄ  熱負荷
ｑ１，ｑ２  配管（冷媒循環流路）
ｑ４  配管（第１流路）
ｑ５  配管（第２流路）
【図１】
2015010789.tif 000008
【図２】
2015010789.tif 000009
【図３】
2015010789.tif 000010
【図４】
2015010789.tif 000011
【図５】
2015010789.tif 000012
【図６】
2015010789.tif 000013
【図７】
2015010789.tif 000014
【図８】
2015010789.tif 000015
【図９】
2015010789.tif 000016
【図１０】
2015010789.tif 000017
【図１１】
2015010789.tif 000018
【図１２】
2015010789.tif 000019
【図１３】
2015010789.tif 000020
【図１４】
2015010789.tif 000021
【図１５】
2015010789.tif 000022
【図１６】
2015010789.tif 000023